(57)【要約】【課題】所望の番組が元の放送予定時間帯に放送されなかった場合にその理由を小さな情報量で記録することができ、かつ、元の放送予定時間帯とは異なる時間帯に番組が放送された場合には番組の全てを記録することができる番組記録装置および番組記録方式を提供すること。【解決手段】記録制御部１５２を備え、記録制御部１５２が予約動作を行う際に、ユーザが所望する番組が放送されている時間帯の他に、ユーザによる予約操作の時点における放送予定時間帯の開始時刻の第１の所定時間前から放送予定時間帯の開始時刻の第２の所定時間後までの期間のうちの一部または全部の時間帯に放送中の番組の映像・音声情報を記録することができ、ユーザは、後で再生操作を行なうことにより、番組の編成が変更された理由を知ることができる。【選択図】図２
2007104261.tif 000002
【特許請求の範囲】
【請求項１】
所望の番組を受信して記録する番組記録装置において、
少なくとも、番組の映像・音声情報と制御情報とが多重化された放送信号を受け取り、放送信号より映像・音声情報と制御情報とを分離する分離部と、
制御情報から、番組の放送が予定されている第１の時間帯と、番組を識別する第１の番組識別子とを含む番組編成情報を抽出する番組編成情報抽出部と、
制御情報から、現在放送中の番組を識別する第２の番組識別子を抽出する放送中番組識別子抽出部と、
予約番組情報として前記番組編成情報を記憶することでユーザが所望する番組の予約を設定する予約設定手段と、
前記第１の時間帯の開始時刻の第１の所定時間前から前記第１の時間帯の開始時刻の第２の所定時間後までの期間のうちの一部または全部である第２の時間帯と、前記第２の番組識別子が前記第１の番組識別子と同じである第３の時間帯において、前記第２の時間帯と前記第３の時間帯との両方の時間帯に放送中の番組の映像・音声情報を記録する記録制御部と、
前記第１の時間帯と前記第３の時間帯とが異なっていた場合に、前記第２の時間帯に記録した映像・音声情報を再生する再生制御部とを備えた番組記録装置。
【請求項２】
前記第３の時間帯の全てにおいて映像・音声情報が記録できた場合に、前記第２の時間帯に記録した映像・音声情報を自動的に削除する手段をさらに備えた、請求項１に記載の番組記録装置。
【請求項３】
所望の番組を受信して記録する番組記録装置において、
少なくとも、番組の映像・音声情報と制御情報とが多重化された放送信号を受け取り、前記放送信号より前記映像・音声情報と前記制御情報とを分離する分離部と、
番組の放送が予定されている第１の時間帯と、番組を識別する番組識別子とを含む番組編成情報を、前記制御情報から抽出する番組編成情報抽出部と、
現在放送中の番組を識別する番組識別子を、前記制御情報から抽出する放送中番組識別子抽出部と、
前記番組識別子およびユーザの予約操作の時点における前記番組編成情報を予約番組情報として記憶することでユーザが所望する番組の予約を設定する予約設定手段と、
前記第１の時間帯の開始時刻の第１の所定時間前から前記第１の時間帯の開始時刻の第２の所定時間後までの期間のうちの一部または全部である第２の時間帯と、前記放送中番組識別子抽出部により取得した番組識別子が前記予約番組情報に含まれる番組識別子と同じである第３の時間帯において、第２の時間帯と第３の時間帯との両方の時間帯に放送中の番組の映像・音声情報を記録する記録制御部と、
前記第１の時間帯と前記第３の時間帯とが異なっていた場合に、前記第２の時間帯に記録した映像・音声情報から複数の時点において映像情報をデコードして得られる静止画のうち、エッジ抽出処理を行って抽出された画素の割合が最も高かった時点のタイムスタンプを記録する手段と、
前記タイムスタンプの記録された時点の静止画を表示する表示手段とを備えた番組記録装置。
【請求項４】
所望の番組を受信して記録する番組記録装置において、
少なくとも、番組の映像・音声情報と制御情報とが多重化された放送信号を受け取り、前記放送信号より前記映像・音声情報と前記制御情報とを分離する分離部と、
番組の放送が予定されている第１の時間帯と、番組を識別する番組識別子とを含む番組編成情報を、前記制御情報から抽出する番組編成情報抽出部と、
現在放送中の番組を識別する番組識別子を、前記制御情報から抽出する放送中番組識別子抽出部と、
前記番組識別子およびユーザの予約操作の時点における前記番組編成情報を予約番組情報として記憶することでユーザが所望する番組の予約を設定する予約設定手段と、
前記第１の時間帯と前記第３の時間帯とが異なっていた場合に、前記第２の時間帯に放送中の映像・音声情報から複数の時点において映像情報をデコードして得られる静止画のうち、エッジ抽出処理を行って抽出された画素の割合が最も高かった時点の静止画像を記録する手段と、
前記静止画像を表示する表示手段とを備えた番組記録装置。
【請求項５】
所望の番組を受信して記録する番組記録装置において、
少なくとも、番組の映像・音声情報と制御情報とが多重化された放送信号を受け取り、前記放送信号より前記映像・音声情報と前記制御情報とを分離する分離部と、
番組の放送が予定されている第１の時間帯と、番組を識別する番組識別子とを含む番組編成情報を、前記制御情報から抽出する番組編成情報抽出部と、
現在放送中の番組を識別する番組識別子を、前記制御情報から抽出する放送中番組識別子抽出部と、
前記番組識別子およびユーザの予約操作の時点における前記番組編成情報を予約番組情報として記憶することでユーザが所望する番組の予約を設定する予約設定手段と、
前記第１の時間帯と前記第３の時間帯とが異なっていた場合に、前記第２の時間帯に放送中の映像・音声情報から複数の時点において映像情報をデコードして得られる静止画のうち、エッジ抽出処理を行って抽出された画素の割合が最も高かった時点の静止画像を文字情報に変換する変換手段と、
前記変換手段から出力される文字情報を記録する文字情報記録手段と、
前記文字情報記録手段により記録される文字情報を表示する表示手段とを備えた番組記録装置。
【請求項６】
少なくとも、番組の映像・音声情報と制御情報とが多重化された放送信号を受け取り、放送信号より映像・音声情報と制御情報とを分離する分離ステップと、
前記分離ステップで分離された制御情報から、番組の放送が予定されている第１の時間帯と、番組を識別する第１の番組識別子とを含む番組編成情報を抽出する第１抽出ステップと、
前記分離ステップで制御情報から、現在放送中の番組を識別する第２の番組識別子を抽出する第２抽出ステップと、
予約番組情報として、前記第１抽出ステップで抽出された番組編成情報を記憶することでユーザが所望する番組の予約を設定する予約設定ステップと、
前記第１の時間帯の開始時刻の第１の所定時間前から前記第１の時間帯の開始時刻の第２の所定時間後までの期間のうちの一部または全部である第２の時間帯と、前記第２抽出ステップで抽出された第２の番組識別子が前記第１抽出ステップで抽出された第１の番組識別子と同じである第３の時間帯において、前記第２の時間帯と前記第３の時間帯との両方の時間帯に放送中の番組の映像・音声情報を記録する記録ステップと、
前記第１の時間帯と前記第３の時間帯とが異なっていた場合に、前記記録ステップで記録された第２の時間帯の映像・音声情報を再生する再生ステップとを有することを特徴とする番組記録方法。
【発明の詳細な説明】
【技術分野】
【０００１】
本発明は、例えばハードディスクを内蔵して放送番組を記録する装置に使用して好適な番組を記録する番組記録装置及び番組記録方法に関する。
【背景技術】
【０００２】
近年、ＡＲＩＢ（Ａｓｓｏｃｉａｔｉｏｎ  ｏｆ  Ｒａｄｉｏ  Ｉｎｄｕｓｔｒｉｅｓａｎｄ  Ｂｕｓｉｎｅｓｓｅｓ）規格ＳＴＤ−Ｂ１０に即した、デジタル放送対応の番組記録装置が普及してきた。ＳＴＤ−Ｂ１０に即したデジタル放送では、トランスポートストリームに、番組を識別する番組識別子が付加されて、放送局から送信される。ユーザが番組記録装置で録画予約の操作を行う際に、この番組識別子を特定しておくことにより、ユーザが予約操作をした後になって番組の放送時間が延長された場合や、放送時間帯が変更になった場合でも、ユーザの操作を伴わずにユーザの所望する番組の全てを記録することができ、これを実現した番組記録装置は、現在、市販されている。図９は従来の番組記録装置の基本構成図を示すものであり、図１０はこの装置の記録制御部１１１での予約番組の記録の動作フローチャートを示すものである（例えば、特許文献１参照。）。
【０００３】
図９において、アンテナ１２０を通して受信部１０２で受信した放送信号は、分離部１０３にて、映像・音声信号と、制御信号に分離される。番組編成情報抽出部１０６は、分離部１０３で得られた制御信号から、番組編成情報を抽出し、番組表管理部１１０へ送られる。ユーザが番組の予約操作を行う際、番組表管理部１１０はＯＳＤ（Ｏｎ  Ｓｃｒｅｅｎ  Ｄｉｓｐｌａｙ）生成部１０９を通して、番組編成情報に含まれる番組名や放送予定時間帯などの情報を表示する。ユーザが、これらの表示された情報を見ながら、ユーザ操作受付部１１５を通して番組を特定すると、この番組に関する番組記述子と放送予定時間帯と放送チャンネルとを含む情報が予約管理部１１４に送られ、予約が登録される。予約管理部１１４に登録された番組の放送予定時間帯が接近すると、予約管理部１１４は、予約として登録されている番組識別子と放送チャンネルと放送予定時間帯を記録制御部１１１に伝える。放送予定時間帯が接近したことは、放送予定時間帯の開始時刻より例えば５分前を過ぎたかどうかによって判断される。記録制御部１１１は、予約管理部１１４より指示された放送チャンネルを受信部１０２に伝え、選局を行う。放送中番組識別子抽出部１０７は、分離部１０３で得られた制御情報から、現在の放送チャンネルで放送中の番組識別子を抽出し、記録制御部１１１に伝える。記録制御部１１１は、予約管理部１１４より通知された番組識別子と、放送中番組識別子抽出部１０７から送られた番組識別子が同じであれば記録を開始し、異なる番組識別子に変化すれば記録を終了する。記録開始は、ＡＶ（映像・音声：Ａｕｄｉｏ／Ｖｉｄｅｏ）ストリーム蓄積部１０８に対して記録開始指示を行い、記録終了は、ＡＶストリーム蓄積部１０８に対して記録終了指示を行うとともに、コンテンツ管理部１１３に対して新たな番組を記録したことを通知する。ＡＶストリーム蓄積部１０８は、ＡＶストリームだけでなく、任意の時点からの再生を容易に行うためのタイムスタンプを付加して蓄積を行う。ユーザは、番組を再生したいときに、再生操作をすると、ユーザ操作受付部１１５からコンテンツ管理部１１３に対して再生指示が通知され、再生制御部１１２がＡＶストリーム蓄積部１０８へ再生開始指示を行う。ＡＶストリーム蓄積部１０８は、蓄積していたストリームのデータを順次ＡＶデコーダ１０４に流し、デコードにより生成された映像、音声が出力され、これをユーザが視聴することができる。また、ユーザが視聴したい時点のタイムスタンプを指定すると、ＡＶストリーム蓄積部１０８はその時点からの再生を行うこともできる。
【０００４】
図１０は、予約記録時の記録制御部１１１の動作フローである。予約管理部１１４より予約動作の開始指示を受けると、ステップＳ２０１より記録制御部１１１の予約動作が開始される。このとき、予約管理部１１４から記録制御部１１１へは、記録対象番組の番組記述子と、放送予定時間帯と、放送チャンネルとを含む情報が通知される。ステップＳ２０２では、ステップＳ２０１で得た記録対象番組の番組識別子と、放送中番組識別子抽出部１０７で得た番組識別子を比較し、これが同じであれば、記録対象番組を放送中であると判断する。現在、記録対象番組を放送中かを判断し（ステップＳ２０２）、放送中でなければ、現在の時刻が番組監視終了時刻を過ぎたか判断する（ステップＳ２０３）。ここで、番組監視終了時刻は、ステップＳ２０１で得た放送予定時間帯の終了時刻の例えば３時間後である。ステップＳ２０３において現在の時刻が番組監視終了時刻を過ぎていれば、予約動作のフローを終了する（ステップＳ２０８）。ステップＳ２０３において現在の時刻が番組監視終了時刻を過ぎていなければ、ステップＳ２０２に進む。
【０００５】
ステップＳ２０２で放送中であれば、番組記録の開始処理を行う（ステップＳ２０５）。ステップＳ２０５では、ＡＶストリーム蓄積部１０８への記録開始指示を行う。ステップＳ２０５の後、現在放送中の番組を放送中かを判断し（ステップＳ２０６）、放送中でなくなると番組記録の終了処理を行う（ステップＳ２０７）。終了処理では、ＡＶストリーム蓄積部１０８への記録終了指示だけでなく、予約管理部１１４へ、記録が正しく終了したことも通知する。また、予約管理部１１４では、記録が正しく終了したことを記憶しておく。以上で、記録対象番組の記録が完了し、予約動作の動作を終了する（ステップＳ２０８）。
【０００６】
予約動作の終了後、ユーザは、ユーザ操作受付部１１５とコンテンツ管理部１１３を通して、記録された番組を視聴したことや、ユーザ操作受付部１１５と予約管理部１１４を通して、予約動作が正しく終了したことを知ることができる。
【０００７】
前記従来の構成では、ユーザの所望する番組が、元の予定とは別の時間帯に放送された場合は、この番組を記録することができるが、放送局の都合などにより放送されなかった場合には、情報の記録が全く行われない。ユーザは、予約した番組を視聴しようとしても、番組記録装置には所望の番組は記録されておらず、ユーザはなぜ記録が行われなかったのかを知ることができない。現在市販されている番組記録機の中には、例えば予約管理部１１４で記録が正しく終了したことを記憶していないことから、ユーザの所望する番組の番組識別子を持つ番組が放送されなかった、という情報を表示してユーザに知らせる機能を持つ番組記録装置があるが、番組が放送されなかった理由を記録することはできない。ユーザは、放送局に電話などの手段により放送されなかった理由を確認することはできるが、面倒である。また、放送局にとっては、番組の編成を一度変更しただけでも多くのユーザからの問い合わせに対応することになり、大きな負担となる。
【特許文献１】特許第３３１２６３３号公報
【発明の開示】
【発明が解決しようとする課題】
【０００８】
ところで、放送局による現在の運用では、実際の放送時間帯が元の放送予定時間帯とは異なった場合や、放送が中止になった場合には、元の放送予定時間帯の開始時刻付近の時間帯に、画面上に編成が変更された理由を示したテロップを重畳した映像を送信することが一般的に行われている。従来の番組記録装置として、番組識別子を無視して、指定した時間帯に放送される番組を記録する機能を持つ番組記録装置が市販されているが、元の放送予定時間帯の全てで記録を行うため、記録に必要な情報量が大きくなってしまい、しかも、元の放送予定時間帯とは異なる放送時間帯に番組が放送された場合でも、元の放送予定時間帯のみ記録動作が行われるため、所望する番組の全てを記録することができない。
【０００９】
このように、従来の番組記録装置では、番組が放送された場合はその全てを記録し、放送されなかった場合にはその理由が分かる情報を記録することで、ユーザの満足を得ることが実現できないという課題があった。
【００１０】
本発明は、前記従来の課題を解決するもので、所望の番組が元の放送予定時間帯に放送されなかった場合にその理由を小さな情報量で記録することができ、かつ、元の放送予定時間帯とは異なる時間帯に番組が放送された場合には番組の全てを記録することができる番組記録装置および番組記録方式を提供することを目的とする。
【課題を解決するための手段】
【００１１】
前記従来の課題を解決するために、本発明の番組記録装置は、番組の映像・音声情報と制御情報とが多重化された放送信号を受け取り、放送信号より映像・音声情報と制御情報とを分離する分離部と、番組の放送が予定されている第１の時間帯と、その番組を識別する番組識別子とを含む番組編成情報を、制御情報から抽出する番組編成情報抽出部と、現在放送中の番組を識別する番組識別子を、制御情報から抽出する放送中番組識別子抽出部と、番組識別子およびユーザの予約操作の時点における番組編成情報を予約番組情報として記憶することでユーザが所望する番組の予約を設定する予約設定手段と、第１の時間帯の開始時刻の第１の所定時間前から第１の時間帯の開始時刻の第２の所定時間後までの期間のうちの一部または全部である第２の時間帯と、放送中番組識別子抽出部により取得した番組識別子が予約番組情報に含まれる番組識別子と同じである第３の時間帯において、第２の時間帯と第３の時間帯との両方の時間帯に放送中の番組の映像・音声情報を記録する記録制御部と、第１の時間帯と第３の時間帯とが異なっていた場合に、第２の時間帯に記録した映像・音声情報を再生する再生制御部とを備える。
【発明の効果】
【００１２】
本構成によって、ユーザの所望する番組が元の放送予定時間帯に放送されなかった場合にその理由を小さな情報量で記録し、後でユーザに提示することができ、かつ、元の放送予定時間帯とは異なる時間帯に番組が放送された場合には番組の全てを記録することができるようになる。
【発明を実施するための最良の形態】
【００１３】
以下、本発明を実施するための最良の形態について、図面を参照しながら説明する。
【００１４】
（実施の形態１）
図１は、本発明の実施の形態１における番組記録装置の構成図である。図１において、図９と同じ構成要素については同じ符号を用い、説明を省略する。
【００１５】
図１において、この実施形態に示される番組記録装置１５１には、図２のフローチャートに従って動作する記録制御部１５２を有している。記録制御部１５２は、予約管理部１１４より通知された番組識別子と、放送中番組識別子抽出部１０７から送られた番組識別子が同じであれば記録を開始するだけでなく、予約管理部１１４より通知された放送予定時間帯の開始時刻のα秒前（０≦α≦６０）から開始時刻のβ秒後（０＜β≦３００）までの時間帯（以降、変更理由送信時間帯と記す）においてもＡＶストリームの記録を行う。放送局が番組編成の変更理由を送信する時間帯が、一般に放送予定時間帯の開始時刻を基準として、60秒前から300秒後の時間帯に含まれることから、変更理由送信時間帯をこの範囲とする。番組記録装置１５１のフローチャートを、図２に説明する。図２において、図１０と同じステップについては同じ符号を用い、説明を省略する。
【００１６】
図２は、予約動作時の記録制御部１５２のフローチャートである。予約管理部１１４より予約動作の開始指示を受けると、ステップＳ２０１より記録制御部１５２の予約動作が開始される。Ｓ２０３において番組監視終了時刻を過ぎていない場合、現在の時刻が変更理由送信時間帯に含まれるかを判断する（ステップＳ２５２）。変更理由送信時間帯に含まれなければ、ステップＳ２０２に進む。変更理由送信時間帯に含まれれば、番組記録の開始処理を行う（ステップＳ２５３）。ステップＳ２５３では、ステップＳ２０５と同様に、ＡＶストリーム蓄積部１０８への記録開始指示を行う。続いて、ステップＳ２０２と同様に、現在、記録対象番組を放送中かを判断し（ステップＳ２５４）、放送中であれば記録終了処理を行う（ステップＳ２５６）。ステップＳ２５６では、ＡＶストリーム蓄積部１０８への記録終了指示を行う。ステップＳ２５４で放送中でなければ、現在の時刻が変更理由送信時間帯に含まれるかを判断し（ステップＳ２５５）、変更理由送信時間帯に含まれれば、ステップＳ２５４に進む。変更理由送信時間帯に含まれなければ、ステップ２５６に進む。
【００１７】
また、ステップＳ２５７で、変更理由送信時間帯にステップＳ２５３とステップＳ２５６を経ることによって記録制御部１５２が記録した番組の削除を行う。ただし、ステップＳ２５３とステップＳ２５６を経由していない場合は番組が記録されていないため、番組の削除を行わない。この後、ステップＳ２０８に進み、予約動作が終了となる。
【００１８】
図２のフローチャートについて、例を２つ示す。ここでの説明は、α＝０、β＝６０として設定した場合である。
【００１９】
まず、１つ目の例として、予定の放送予定時間帯より遅れて放送された場合の動作を示す。この例では、元の放送予定時間帯が、１９時００分から２０時００分までであり、実際の放送時間帯は、放送予定時間帯より１時間３０分後の２０時３０分から２１時３０分であったとする。まず、１８時５５分になると、予約管理部１１４が記録制御部１５２に予約動作の開始指示を行う。この開始指示に付随して、放送予定時間帯の開始時刻１９時００分と終了時刻２０時００分と、記録対象番組の番組識別子と、放送チャンネル等が渡される。ステップＳ２０１から始まり、Ｓ２０２に進む。現在は１８時５５分であり、放送中の番組は記録対象番組の番組識別子と異なるので、ステップＳ２０３に進む。監視終了時刻は放送予定時間帯の終了時刻の３時間後である２３時００分であり、現在の時刻はこれを過ぎていないので、Ｓ２５２に進む。現在の時刻は、変更理由送信時間帯である１９時００分から１９時０１分の間ではないので、ステップＳ２０２に進む。これを繰り返しているうちに現在時刻が１９時００分になると、ステップＳ２５２において、変更理由送信時間帯に含まれると判断され、ステップＳ２５３に進み、番組記録の開始処理が行われる。この後、１９時０１分になるまでステップＳ２５４とステップＳ２５５を行き来し、１９時０１分になると、ステップＳ２５５で現在は変更理由送信時間帯には含まれないと判断され、ステップＳ２５６の終了処理が行われる。以上の処理で、変更理由送信時間帯の番組が記録された。
【００２０】
続いて、ステップＳ２０２に進み、２０時３０分になるまではステップＳ２０２とステップＳ２０３とステップＳ２５２とを行き来する。２０時３０分になると、記録対象番組の番組識別子を持つ番組が放送されるので、ステップＳ２０２で対象の番組を放送中であると判断し、ステップＳ２０５に進む。２１時３０分になるまではこの番組が放送され続けるので、ステップＳ２０６にとどまり、２１時３０分になると別の番組の放送が始まり、記録対象番組の番組識別子とは異なるため、ステップＳ２０７に進む。以上の処理で、記録対象番組が記録された。続いてステップＳ２５７に進み、変更理由送信時間帯に記録した番組を削除し、ステップＳ２０８に進んで記録動作を終了する。この結果、従来例と同じく、記録対象番組のみが番組記録装置に残り、ユーザは後でこの番組を視聴することができる。
【００２１】
２つ目の例として、予定されていた放送が中止され、別の番組に差し替えられた場合の動作を示す。放送予定時間帯は、１つ目の例と同じく１９時００分から２０時００分までであるが、この後、２３時００分までに放送されなかったとする。動作について、１９時０１分になるまでの動作は例１と同じであり、省略する。１９時０１分になるとステップＳ２５６の後にステップＳ２０２に進み、この後、２３時００分になるまではステップＳ２０２とステップＳ２０３とステップＳ２５２とを行き来する。２３時００分になると、ステップＳ２０３にて、現在の時刻が監視終了時刻を過ぎたと判断され、ステップＳ２０８に進んで記録動作を終了する。以上により、変更理由送信時間帯に記録した番組のみが番組記録装置に記録され、ユーザは後でこの番組を視聴することができる。
【００２２】
かかる構成によれば、予定されていた放送が中止され別の番組に差し替えられた場合には、変更理由送信時間帯に記録した番組のみが番組記録装置に小さな情報量で記録され、ユーザは後でこの番組を視聴することができる。放送局はこの番組に変更理由を示すテロップを重畳して放送していたため、ユーザはこの番組を視聴することで放送の編成が変更された理由を知ることができる。
【００２３】
なお、本実施の形態において、変更理由送信時間帯に記録した番組を自動的に削除する手段としてステップＳ２５７を設けたが、このステップを省略し、ユーザが必要な場合に確認できるように構成することもできる。
【００２４】
（実施の形態２）
図３は、本発明の実施の形態２における番組記録装置の構成図である。図３において、図１と同じ構成要素については同じ符号を用い、説明を省略する。
【００２５】
図３において、この実施形態に示される番組記録装置１６１には、図４のフローチャートに従って動作する記録制御部１６２と、予約管理部１６３と、エッジ抽出部１６４とを有している。変更理由送信時間帯においては、エッジ抽出部１６４により、ＡＶデコーダ１０４から出力されるある時点の映像、つまり静止画から逐次エッジ抽出を行う。エッジ抽出とは、静止画を構成するそれぞれの画素から、周りの画素との色の濃度を比較し、その差が一定の閾値より大きい画素を取り出す処理のことである。図４で示すフローチャートにより、変更理由送信時間帯にエッジ抽出部１６４で最も多くの画素が抽出された時点のタイムスタンプが予約管理部１６３に記録される。ユーザは、予約動作終了後、予約管理部１６３を通して予約の実行結果を確認すると、ＯＳＤ生成部１０９により予約の実行結果をユーザに表示することができる。変更理由送信時間帯の番組の記録が残っている場合は、予約管理部１６３に記録されたタイムスタンプを表示することで、ユーザに変更理由送信時間帯の中の時点を示すことができる。ユーザは、これに従って、コンテンツ管理部１１３を通じてこの時点の映像を再生させることで、番組編成の変更理由を知ることができる。
【００２６】
図４は、予約動作時の記録制御部１６２のフローチャートである。図４において、図２と同じ構成要素については同じ符号を用い、説明を省略する。
【００２７】
ステップＳ２６１での番組記録の開始処理では、図２におけるステップＳ２５３と同様の開始処理の他に、エッジ抽出部１６４への抽出開始を指示する。また、ステップＳ２６２での番組記録の終了処理では、図２におけるステップＳ２５６と同様の終了処理の他に、エッジ抽出部１６４への抽出終了を指示する。
【００２８】
図５は、変更理由送信時間帯におけるエッジ抽出のフローチャートである。図４のステップＳ２６１でエッジ抽出部１６４へ抽出開始の指示が行われることにより、ステップＳ３０１より処理が開始される。初めに、Ｎに０を記憶し（ステップＳ３０２）、ＡＶストリーム蓄積部１０８から現在のタイムスタンプを取得し、図示しないメモリに記憶する（ステップＳ３０３）。次に、予約管理部１６３へ、タイムスタンプの通知を行う（ステップＳ３０４）。図４のステップＳ２６２による抽出終了の指示を受信したかを確認し、受信している場合はステップＳ３１０に進み、エッジ抽出の動作を終了する。受信していない場合は、ＡＶデコーダ１０８からの出力映像を、静止画として図示しないメモリに記憶する。また、ＡＶストリーム蓄積部１０８からタイムスタンプを取得し、図示しないメモリに記憶する（ステップＳ３０６）。ステップＳ３０６が２回以上処理される場合は、以前に図示しないメモリに記憶した静止画およびタイムスタンプは、新たな静止画およびタイムスタンプで上書きする。次に、メモリに記憶された静止画に対して、エッジ抽出処理を行う（ステップＳ３０７）。エッジ抽出の結果、抽出された画素数がＮより大きいか比較し（ステップＳ３０８）、大きくなければステップＳ３０５へ、大きければステップＳ３０９へ進む。ステップＳ３０９では、ステップＳ３０７で抽出された画素数でＮを更新し、ステップＳ３０４へ進む。
【００２９】
ステップＳ３０４またはステップＳ３０７で予約管理部１６３へタイムスタンプが送られた場合、予約管理部１６３は、実行中の予約と対応付けてこのタイムスタンプを記憶する。ステップＳ３０４またはステップＳ３０７が複数回処理される場合、予約管理部１６３に以前通知されて記憶しているタイムスタンプは、新しく通知されたタイムスタンプで上書きされる。
【００３０】
かかる構成によれば、予定されていた放送が中止され別の番組に差し替えられた場合には、変更理由送信時間帯に記録した番組のみが番組記録装置に小さな情報量で記録され、ユーザは後でこの番組を視聴することができ、放送の編成が変更された理由を知ることができる。
【００３１】
（実施の形態３）
図６は、本発明の実施の形態３における番組記録装置の構成図である。図６において、図３と同じ構成要素については同じ符号を用い、説明を省略する。
【００３２】
図６において、この実施形態に示される番組記録装置１７１には、図７のフローチャートに従って動作する記録制御部１７２と、予約管理部１７３と、図８のフローチャートに従って動作するエッジ抽出部１７４と、文字認識部１７５とを有している。変更理由送信時間帯においては、ＡＶデコーダ１０４から出力されるある時点の映像、つまり静止画から、エッジ抽出部１７４が随時エッジの抽出を行う。文字認識部１７５は、文字の表示された画像データから、文字情報を認識する機能を持ち、エッジ抽出部１７４から静止画を受け取って、文字情報を取り出す動作をする。図７で示すフローチャートにより、変更理由送信時間帯にエッジ抽出部１７４で最も多くの画素が抽出された時点の静止画と文字情報が予約管理部１７３に記録される。ユーザが、予約動作終了後に予約の実行結果を表示する操作を行なうと、予約管理部１７３は、ＯＳＤ生成部１０９を通して予約の実行結果を表示する。予約管理部１７３に静止画と文字情報が記録されていた場合は、ＯＳＤ生成部１０９を通して静止画と文字情報を番組編成の変更理由として表示することができる。
【００３３】
図７は、予約動作時の記録制御部１６２のフローチャートである。図７において、図４と同じ構成要素については同じ符号を用い、説明を省略する。
【００３４】
記録制御部１６２は、ステップＳ２７１では、エッジ抽出部１７４へ抽出開始を指示する。また、ステップＳ２７２では、エッジ抽出部１７４への抽出終了を指示する。ステップＳ２７３では、実行中の予約に対応する静止画と文字情報が予約管理部１７３に記録されていた場合に、それを削除する。
【００３５】
図８は、変更理由送信時間帯におけるエッジ抽出のフローチャートである。図８において、図５と同じ構成要素については同じ符号を用い、説明を省略する。ステップＳ３２１において、現在のＡＶデコーダ１０８からの出力映像を、静止画として図示しないメモリに記憶する。ステップＳ３２２において、図示しないメモリ中に静止画もしくは文字情報を記憶している場合は、予約管理部１７３にこれらを伝える。静止画と文字情報の両方を保持している場合は、両方を予約管理部１７３に伝える。ステップＳ３２３において、現在のＡＶデコーダ１０８からの出力映像を、静止画として図示しないメモリに記憶する。以前に得た静止画の情報がメモリにある場合は、今回得られた静止画で、以前得た静止画を上書きする。ステップＳ３２４は、メモリに記憶された静止画から文字情報を抽出して、抽出した文字情報をメモリに記憶する動作である。初めに、メモリに記憶された静止画の情報を文字認識部１７５へ送ると、文字認識部１７５は文字を抽出し、文字情報に変換してエッジ抽出部１７４に返す。エッジ抽出部１７４は、得られた文字情報を、図示しないメモリに記憶する。以前に得た文字情報がメモリにある場合は、今回得られた文字情報で以前に得た情報を上書きする。
【００３６】
かかる構成によれば、予定されていた放送が中止され別の番組に差し替えられた場合には、変更理由送信時間帯に記録した番組のテロップを含む静止画１枚および文字情報のみが番組記録装置に小さな情報量で記録され、ユーザは後でこの静止画や文字情報を見ることができ、放送の編成が変更された理由を知ることができる。
【００３７】
なお、本実施の形態において、エッジ抽出部１７４から予約管理部１７３へは、静止画および文字情報の両方を通知していたが、これらのうちどちらか片方のみを通知して、予約管理部１７３で片方のみを記憶しておく構成も考えられる。この場合は、ＯＳＤ生成部１０９においては記憶した片方だけの情報を表示できることになる。また、変更理由送信時間帯に記録した番組の静止画および文字情報を自動的に削除する手段としてステップＳ２７３を設けたが、このステップを省略し、ユーザが必要な場合に確認できるようにも構成できる。
【産業上の利用可能性】
【００３８】
本発明にかかる番組記録装置及び番組記録方法は、放送が予定されていた番組が放送されなかった場合、または、番組が放送される時間帯が変更になった場合に、その理由を小さな情報量で記録することができ、後でユーザに提示することが可能となるので、ハードディスクを内蔵して放送番組を記録する装置に使用して番組を記録する番組記録装置及び番組記録方法等として有用である。
【図面の簡単な説明】
【００３９】
【図１】本発明の実施の形態１における番組記録機の構成図
【図２】本発明の実施の形態１における記録制御のフローチャート
【図３】本発明の実施の形態２における番組記録機の構成図
【図４】本発明の実施の形態２における記録制御のフローチャート
【図５】本発明の実施の形態２におけるエッジ抽出のフローチャート
【図６】本発明の実施の形態３における番組記録機の構成図
【図７】本発明の実施の形態３における記録制御のフローチャート
【図８】本発明の実施の形態３におけるエッジ抽出のフローチャート
【図９】従来例の構成図
【図１０】従来例の記録制御のフローチャート
【符号の説明】
【００４０】
１０１    従来例における番組記録装置
１０２    放送信号の受信部
１０３    多重化された信号の分離部
１０４    ＡＶストリームのデコーダ
１０５    映像・音声信号とＯＳＤの合成部
１０６    番組編成情報抽出部
１０７    放送中番組識別子抽出部
１０８    ＡＶストリーム蓄積部
１０９    ＯＳＤ生成部
１１０    番組表管理部
１１１    記録制御部
１１２    再生制御部
１１３    コンテンツ管理部
１１４    予約管理部
１１５    ユーザ操作受付部
１２０    アンテナ
１２１    モニタ
１５１    本発明の実施の形態１における番組記録装置の構成図
１５２    本発明の実施の形態１における記録制御部
１６１    本発明の実施の形態２における番組記録装置の構成図
１６２    本発明の実施の形態２における記録制御部
１６３    本発明の実施の形態２における予約管理部
１６４    本発明の実施の形態２におけるエッジ抽出部
１７１    本発明の実施の形態３における番組記録装置の構成図
１７２    本発明の実施の形態３における記録制御部
１７３    本発明の実施の形態３における予約管理部
１７４    本発明の実施の形態３におけるエッジ抽出部
１７５    本発明の実施の形態３における文字認識部
【図１】
2007104261.tif 000003
【図２】
2007104261.tif 000004
【図３】
2007104261.tif 000005
【図４】
2007104261.tif 000006
【図５】
2007104261.tif 000007
【図６】
2007104261.tif 000008
【図７】
2007104261.tif 000009
【図８】
2007104261.tif 000010
【図９】
2007104261.tif 000011
【図１０】
2007104261.tif 000012